(57)【要約】【課題】  建材等から室内に排出される有害物質を効果的に吸着除去し、好適な室内環境を提供すること。【解決手段】    容器内に空気を浄化する細片状の炭からなる浄化材が収納された室内空気浄化器であって、前記容器が、底部と上部に通気孔２６ａ、２２ａが設けられ、前記浄化材１０が収納された箱体状に形成されたカートリッジ２０と、該カートリッジ２０が脱着自在に収納される上部が開口する箱体状に形成され、下部側に空気を導入する通気口４６が設けられたケーシング部４２、およびケーシング部４２の底部に配置された送風部４４を備えた装置本体４０とからなり、前記送風部４４により、前記通気口４６から容器内に室内空気を導入し、前記カートリッジ２０内を通流して前記カートリッジ２０の上部に設けられた通気孔２２ａから浄化された空気を排出する。【選択図】          図１
0003105474.tif 000002
【実用新案登録請求の範囲】
【請求項１】
容器内に空気を浄化する細片状の炭からなる浄化材が収納された室内空気浄化器であって、
前記容器が、
底部と上部に通気孔が設けられ、前記浄化材が収納された箱体状に形成されたカートリッジと、該カートリッジが脱着自在に収納される上部が開口する箱体状に形成され、下部側に空気を導入する通気口が設けられたケーシング部、およびケーシング部の底部に配置された送風部を備えた装置本体とからなり、  
前記送風部により、前記通気口から容器内に室内空気を導入し、前記カートリッジ内を通流して前記カートリッジの上部に設けられた通気孔から浄化された空気を排出することを特徴とする室内空気浄化器。
【請求項２】
前記カートリッジが前記ケーシング部に摺入可能な矩形の箱体状に形成され、
前記カートリッジが前記ケーシング部に装着された状態で、前記カートリッジおよび前記ケーシング部の外形形状が矩形の箱体状となることを特徴とする請求項１記載の室内空気浄化器。
【請求項３】
前記カートリッジ内に、自然放射線の１００倍程度のガンマ線が照射される滅菌機能材が収納されていることを特徴とする請求項１または２記載の室内空気浄化器。
【請求項４】
前記滅菌機能材が、トリウム、ウラン、酸化チタンを含むモナザイトにシリカなどの造形材を加えて、直径が数ｍｍの焼結体粒としたものであることを特徴とする請求項３記載の室内空気浄化器。
【請求項５】
前記滅菌機能材が、網袋に収納されて、前記容器内に収納されていることを特徴とする請求項３または４記載の室内空気浄化器。
【請求項６】
容器内に空気を浄化する細片状の炭からなる浄化材と、自然放射線の１００倍程度のガンマ線が照射される滅菌機能材が収納された室内空気清浄器であって、
前記容器の底部側に通気口が、上部側に通気孔が設けられ、
前記通気口から容器内に室内空気を導入し、容器内を通流して前記通気孔から浄化された空気を放出する送風部が設けられていることを特徴とする室内空気浄化器。
【考案の詳細な説明】
【技術分野】
【０００１】
本考案は室内空気浄化器に関し、より詳細には浄化材として炭を利用した室内空気浄化器に関する。
【背景技術】
【０００２】
新規建築住宅においては、各種の化学品が含まれている建材が使用されること、壁クロスの接着に各種接着剤が使用される等により、室内に有害化学物質が発散され、これによって健康が害されることが問題となっている。とくに密閉住宅においては、室内に化学物質が充満しやすく、有害化学物質による健康被害が問題となり、室内に食品や病人といった住環境に関連した臭いがこもりやすく、換気を行っても臭いがとれないという問題がある。
【０００３】
このような室内に発散されてくる有害化学物質や臭いを除去する方法としては、さまざまな方法や装置が提案されている。たとえば、空気の吸込口から吹出口の間に塵埃の除去層を設け、塵埃の除去に活性炭やゼオライト等の浄化材を使用する方法（たとえば、特許文献１）、粒状または粉状に形成した珪藻土を内部に貫通孔を有するブロック状に形成し、家屋内の空気循環路に配置する方法（たとえば、特許文献２）、炭素の表面にセラミックスがコーティングされている多孔性を有する焼成体を使用するもの（たとえば、特許文献３参照。）等がある。
【特許文献１】特開平７−９８１３４号公報
【特許文献２】特開平１０−１２２６２３号公報
【特許文献３】特開平１０−２８６４５９号公報
【考案の開示】
【考案が解決しようとする課題】
【０００４】
上述したように、室内空気の浄化材に、活性炭等のガス吸着表面積の大きなものを使用するといったことは従来からよく知られているところであり、これらの吸着材を通気装置のフィルターに使用するといったことも行われている。しかしながら、従来の粒状あるいは粉体状の炭を浄化材として使用した室内空気浄化器では、必ずしも室内の浄化が効率的にはなされないという問題があった。
【０００５】
また、従来の室内空気浄化器の場合は、換気装置や通気装置にフィルターとして浄化装置を付設する構造となっていることが多く、このような場合には、さほど有効な浄化や脱臭ができないという問題と、換気装置や通気装置に付設する場合には装置が大がかりになることや、手軽に使用することができないという問題があった。
【０００６】
そこで、本考案はこれらの課題を解決すべくなされたものであり、その目的とするところは、炭を浄化材として使用した室内浄化装置であって、室内に排出されてくる建材の有害物質を効果的に吸着除去することができるとともに、有効な脱臭作用を有することから、病人等の生活臭を効果的に除去することができて好適な住環境を得ることができ、また、滅菌作用を備えてさらに快適な住環境を提供することができる、手軽で使いやすい室内空気浄化器を提供するものである。
【課題を解決するための手段】
【０００７】
上記目的を達成するため、本考案は次の構成を備える。
すなわち、  容器内に空気を浄化する細片状の炭からなる浄化材が収納された室内空気浄化器であって、前記容器が、底部と上部に通気孔が設けられ、前記浄化材が収納された箱体状に形成されたカートリッジと、該カートリッジが脱着自在に収納される上部が開口する箱体状に形成され、下部側に空気を導入する通気口が設けられたケーシング部、およびケーシング部の底部に配置された送風部を備えた装置本体とからなり、前記送風部により、前記通気口から容器内に室内空気を導入し、前記カートリッジ内を通流して前記カートリッジの上部に設けられた通気孔から浄化された空気を排出することを特徴とする。
また、前記カートリッジが前記ケーシング部に摺入可能な矩形の箱体状に形成され、前記カートリッジが前記ケーシング部に装着された状態で、前記カートリッジおよび前記ケーシング部の外形形状が矩形の箱体状となることを特徴とする。
【０００８】
また、前記カートリッジ内に、自然放射線の１００倍程度のガンマ線が照射される滅菌機能材が収納されていることを特徴とする。前記滅菌機能材としては、トリウム、ウラン、酸化チタンを含むモナザイトにシリカなどの造形材を加えて、直径が数ｍｍの焼結体粒としたものが好適に使用でき、また前記滅菌機能材として、網袋に収納され前記容器内に収納されているものが好適に使用できる。
また、容器内に空気を浄化する細片状の炭からなる浄化材と、自然放射線の１００倍程度のガンマ線が照射される滅菌機能材が収納された室内空気清浄器であって、前記容器の底部側に通気口が、上部側に通気孔が設けられ、前記通気口から容器内に室内空気を導入し、容器内を通流して前記通気孔から浄化された空気を放出する送風部が設けられていることを特徴とする。
【考案の効果】
【０００９】
本考案に係る室内空気浄化器は、浄化材が収納されたカートリッジを装置本体に装着して浄化器が構成されるから、浄化材の取り扱いが容易で、室内空気を効果的に浄化することが可能となる。また、滅菌機能材を炭からなる浄化材とあわせて使用することにより、室内空気がさらに効果的に浄化され、殺菌、脱臭作用によって好適な室内環境を得ることが可能になる。
【考案を実施するための最良の形態】
【００１０】
以下、本考案の好適な実施の形態を添付図面に基づいて詳細に説明する。
図１は、本考案に係る室内空気浄化器の全体構成を示す斜視図である。図は、浄化材１０として細片状に形成された炭を充填したカートリッジ２０と、カートリッジ２０を装着する装置本体４０とを別個に示す。
カートリッジ２０は矩形の箱体状に形成したものであり、ぞの上部には着脱可能に蓋部２２が設けられている。蓋部２２の周縁部にはフランジ部２４が設けられ、蓋部２２には通気孔２２ａが設けられている。また、カートリッジ２０の底部２６には通気孔２６ａが設けられ、カートリッジ２０の上下方向に通気可能となっている。
【００１１】
なお、カートリッジ２０に浄化材１０としての炭を収納する際には、底部２６の上に通気シートを敷いて炭を充填し、通気孔２６ａから炭が排出されないようにする。浄化材１０としての炭は、カートリッジ２０の蓋部２２の近くまでほぼ一杯に充填する。これにより、カートリッジ２０内で炭がかなりの厚さに充填される。
【００１２】
なお、浄化材１０として使用している炭は間伐材を利用したものである。１０００℃程度の高温で炭を焼くと緻密で多孔質の炭が得られるが、本実施形態では数百度℃程度の通常の炭焼き方法で得た炭を使用している。カートリッジ２０に収容されている炭は幅１〜３ｍｍ、長さ２〜２０ｍｍ程度の細片状に形成されたものである。細片状の炭は、樹木をチップ状に細片化した後、炭化させることによって得られる。このように細片状に形成した炭を浄化材１０として使用しているのは、カートリッジ２０に緻密な状態で炭を充填できるようにすること、炭を充填した状態でカートリッジ２０内で気流が通流する空間（隙間）が生じるようにし、あわせて炭と気流との接触面積を大きくできるようにするためである。
【００１３】
本実施形態においては、カートリッジ２０に充填した炭の上に、モナザイト（トリウム、ウラン、酸化チタン等を含む）にシリカなどの造形材を加えて、直径数ｍｍの球状の焼結体粒とした滅菌機能材３０を網袋３２に収納してのせている。図３に、カートリッジ２０に浄化材１０としての炭を充填し、炭の上に滅菌機能材３０を収納した網袋３２をのせた状態を示す。網袋３２には球形の粒状に形成された滅菌機能材３０が所定量収納されている。
なお、本実施形態において、滅菌機能材３０で使用しているモナザイトは、自然放射線の１００倍程度のガンマ線が照射されるものであり、直接的に殺菌する作用と空気中でフリーラジカルを発生させ、これによって効果的な滅菌および脱臭効果を奏するものである。
【００１４】
図１において、装置本体４０は上部が開口した箱状に形成されたケーシング部４２と、ケーシング部４２の内底部に配置された、モータおよびファンを備えた送風部４４と、ケーシング部４２の底部側の側面に設けられた通気口４６とを備える。ケーシング部４２の内側の寸法はカートリッジ２０の外側の寸法に一致して設けられ、カートリッジ２０はケーシング部４２に挿入して全体がケーシング部４２に収納されるように設けられている。ケーシング部４２の内側面にはカートリッジ２０をケーシング部４２に挿入した際に、カートリッジ２０の底部を係止するストッパ４７ａ、４７ｂが設けられている。通気口４６はストッパ４７ａ、４７ｂよりも下側に位置する。
【００１５】
図２は、装置本体４０にカートリッジ２０を装着して室内空気清浄器を使用している状態を示す。カートリッジ２０は装置本体４０のケーシング部４２の内側にすっぽりと納まるようにして収納され、使用状態で室内空気清浄器の外形形状は完全な箱体状となる。この状態で室内の床面等の適宜位置に室内空気清浄器を設置して使用する。
室内空気清浄器はスイッチ４８をＯＮとすることにより、送風部４４が作動開始し、通気口４６から室内空気が装置本体４０内に取り込まれて清浄化作用がなされる。送風部４４においては、ファンにより通気口４６から装置本体４０内に室内空気を導入する向きの気流が生じ、通気口４６から装置本体４０に取り込まれた室内空気は、カートリッジ２０の底部側からカートリッジ２０内に進入する。
【００１６】
カートリッジ２０の底部とケーシング部４２の底面との間は、室内空気を装置本体４０内に導入する空間となり、この空間に取り込まれた空気は、カートリッジ２０の底部２６に開口する通気孔２６ａからカートリッジ２０に充填された浄化材１０内に進入する。浄化材１０に進入した室内空気は浄化材１０の作用によって清浄化され、カートリッジ２０の上部に設けられた蓋部２２の通気孔２２ａから室内に放出される。
送風部４４によって室内空気を装置本体４０に取り入れる作用は、ゆっくりとした気流を生じさせるものであるが、室内空気清浄器を一定時間作動させることにより室内の空気が室内空気清浄器を順次通過し、室内空気の対流によって、徐々に室内の空気全体が清浄化される。
【００１７】
本実施形態の室内空気清浄器では、カートリッジ２０内に浄化材１０としての炭を厚く充填しているから、浄化材１０中を室内空気が通過する際に炭と接触して効果的に浄化処理がなされる。
また、本実施形態の室内空気清浄器では、カートリッジ２０の内部に滅菌機能材３０を収容していることにより、滅菌機能材３０の作用によっても室内空気が殺菌され、好適な脱臭作用を得ることができる。図３に浄化材１０および滅菌機能材３０がカートリッジ２０内を通過する空気と作用する様子を説明的に示す。網袋３２に滅菌機能材３０を収納したことにより、カートリッジ２０内を通流する空気に滅菌機能材３０の作用を好適に及ぼすことができる。
なお、滅菌機能材３０は浄化材１０の表面に置くかわりに、浄化材１０内に埋没させるように配置することも可能である。
【００１８】
また、滅菌機能材３０に含まれているウランやトリウムは、ラドンガスをつくる作用があり、滅菌機能材３０によってつくられたラドンガスが空気の対流とともに室内に供給される。ラドンガスは免疫系の活性化、各種ホルモンの増加等の健康増進作用を有するものであり、本実施形態の室内空気浄化器によれば、室内空気の浄化とともに、健康増進作用を得ることができる。
また、滅菌機能材３０に対して水銀灯や蛍光灯を照射するように構成することにより、滅菌機能材３０に含まれている光触媒の作用によって滅菌、脱臭作用を発揮させることが可能となる。これによって、室内空気の浄化作用をさらに効果的に行うことができる。
【００１９】
本実施形態の室内空気浄化装置は、簡易な箱形に形成されたものであり、室内のどこにでも置いて使用することができ、取り扱いが至って簡便である。また、使用に際しても一定時間作動させることで自然に室内空気の対流がなされ、効果的な浄化作用がなされるとともに使用方法が簡便であるという利点がある。
なお、カートリッジ２０に充填されている浄化材１０としての炭は、一定期間使用した後、新しい浄化材１０と交換して使用する。カートリッジ２０から蓋部２２を外して浄化材１０を新しいものと交換することも容易であり、カートリッジ２０自体を新しい浄化材１０が収納されたカートリッジ２０に交換して装置本体４０に装着するようにしてもよい。いずれの場合も、きわめて簡単に使用することができ、室内空気の浄化に好適に利用することができる。
【００２０】
また、上記実施形態においては、箱体状に形成した装置本体４０とカートリッジ２０とを別体に形成したが、装置本体４０とカートリッジ２０との二体とせず、単一の容器内に浄化材１０と滅菌機能材３０を収納し、容器内に室内空気を導入し、容器内で浄化材１０および滅菌機能材３０に接触するように室内空気を通流させることによって、上述したと同様な浄化材１０と滅菌機能材３０による作用を得ることができる。また、容器内で気流を発生させる送風部４４の配置位置は容器の下部側、上部側のいずれであってもかまわない。
【図面の簡単な説明】
【００２１】
【図１】本考案に係る室内空気浄化器の一実施形態の構成を示す斜視図である。
【図２】本考案に係る室内空気浄化器の使用状態を示す斜視図である。
【図３】本考案に係る室内空気浄化器に使用するカートリッジの内部構造を示す説明図である。
【符号の説明】
【００２２】
１０  浄化材
２０  カートリッジ
２２  蓋部
２２ａ、２６ａ  通気孔
３０  滅菌機能材
３２  網袋
４０  装置本体
４２  ケーシング部
４４  送風部
４６  通気口
４８  スイッチ
【図１】
0003105474.tif 000003
【図２】
0003105474.tif 000004
【図３】
0003105474.tif 000005